(57)【要約】    【課題】  どのような交換レンズ・フィルター・エクステンダーを使用しても良好なホワイトバランス調整を行うことが可能な撮像装置を提供する。    【解決手段】  撮影レンズユニット３００に装着可能で光学的特性を変化させる光学特性可変ユニット４００の装着を識別する識別部１６０を備え、さらに、測色センサー１５１からのデータを用いて、第１のホワイトバランス制御信号を得る外側ホワイトバランス算出回路１５３と、光学特性可変ユニット４００と撮影レンズユニット３００を通して撮像素子１４から得た信号からのデータを用いて、第２のホワイトバランス制御信号を得る内側ホワイトバランス算出回路１５４とを有する。そして、前記第１及び第２のホワイトバランス制御信号に基づいて、撮影レンズユニット３００と光学特性可変ユニット４００の組み合わせ固有の色温度補正データを算出し、前記第１及び第２のホワイトバランス制御信号と前記色温度補正データに基づいて、ホワイトバランス調整を制御する。【選択図】        図２
2005175838.tif 000002
【特許請求の範囲】
【請求項１】
交換可能な撮影レンズユニットを透過して得られた被写体像を光電変換する撮像素子と、
前記撮影レンズユニットに装着可能で光学的特性を変化させる光学特性可変手段の装着を識別する装着識別手段と、
前記撮像素子以外の測色センサーからのデータを用いて、ホワイトバランス調整のための第１のホワイトバランス制御信号を得る第１のホワイトバランス算出手段と、
前記装着識別手段によって得られた前記光学特性可変手段に関するデータと前記撮影レンズユニットを通して前記撮像素子から得た信号からのデータを用いて、ホワイトバランス調整のための第２のホワイトバランス制御信号を得る第２のホワイトバランス算出手段と、
前記第１のホワイトバランス制御信号と前記第２のホワイトバランス制御信号とに基づいて、前記撮影レンズユニットと前記光学特性可変手段の組み合わせに応じた色温度補正データを算出する色温度補正データ算出手段と、
前記第１のホワイトバランス制御信号と前記第２のホワイトバランス制御信号と前記色温度補正データに基づいて、ホワイトバランス調整を制御するホワイトバランス制御手段とを備えたことを特徴とする撮像装置。
【請求項２】
前記色温度補正データ算出手段で算出された色温度補正データを、前記撮影レンズユニットの識別情報及び前記光学特性可変手段の識別情報と共に記憶する色温度補正データ記憶手段を備えたことを特徴とする請求項１に記載の撮像装置。
【請求項３】
前記色温度補正データ記憶手段は、複数の交換可能な撮影レンズユニットと前記光学特性可変手段の組み合わせ固有の色温度補正データを格納することを特徴とする請求項２に記載の撮像装置。
【請求項４】
前記装着識別手段は、前記撮影レンズユニットに装着された光学特性可変手段が色を変化させることを目的としているか否かを識別することを特徴とする請求項３に記載の撮像装置。
【請求項５】
前記装着識別手段は、前記撮影レンズユニットに装着された光学特性可変手段と通信して得られる前記光学特性可変手段に関する情報に基づいて、前記光学特性可変手段が色を変化させるか否かを識別することを特徴とする請求項４に記載の撮像装置。
【請求項６】
前記装着識別手段は、前記第１のホワイトバランス検出手段より得られる前記第１のホワイトバランス制御信号と前記第２のホワイトバランス検出手段より得られる前記第２のホワイトバランス制御信号とを比較して、前記光学特性可変手段が色を変化させるか否かを識別することを特徴とする請求項４に記載の撮像装置。
【請求項７】
前記色温度補正データ算出手段は、前記装着識別手段によって前記撮影レンズユニットに色を変化させるための光学特性可変手段が装着されていると識別された場合に、前記色温度補正データの作成を禁止することを特徴とする請求項４乃至６のいずれかに記載の撮像装置。
【請求項８】
前記装着識別手段によって前記撮影レンズユニットに色を変化させるための光学特性可変手段が装着されていると識別された場合は、第１の警告情報を出力する第１の警告手段を備えたことを特徴とする請求項４乃至６のいずれかに記載の撮像装置。
【請求項９】
前記色温度補正データ記憶手段に格納された前記色温度補正データを使用する場合に、前記色温度補正データ記憶手段から得られる識別情報と、前記装着識別手段から得られる識別情報とが異なった場合は、第２の警告情報を出力する第２の警告手段を備えたことを特徴とする請求項３乃至６のいずれかに記載の撮像装置。
【請求項１０】
前記第２の警告手段は、前記撮影レンズユニットに装着された前記光学特性可変手段が色を変化させる場合は、前記第２の警告情報の出力を行わないことを特徴とする請求項９に記載の撮像装置。
【請求項１１】
交換可能な撮影レンズユニットを透過して得られる被写体像を光電変換する撮像素子と、前記撮影レンズユニットに装着可能で光学的特性を変化させる光学特性可変手段の装着を識別する装着識別手段とを有する撮像装置の制御方法であって、
前記撮像素子以外の測色センサーからのデータを用いて、ホワイトバランス調整のための第１のホワイトバランス制御信号を得る第１のホワイトバランス算出工程と、
前記光学特性可変手段と前記撮影レンズユニットを通して前記撮像素子から得た信号からのデータを用いて、ホワイトバランス調整のための第２のホワイトバランス制御信号を得る第２のホワイトバランス算出工程と、
前記第１のホワイトバランス制御信号と前記第２のホワイトバランス制御信号とに基づいて、前記撮影レンズユニットと前記光学特性可変手段の組み合わせに応じた色温度補正データを算出する色温度補正データ算出工程と、
前記第１のホワイトバランス制御信号と前記第２のホワイトバランス制御信号と前記色温度補正データに基づいて、ホワイトバランス調整を制御するホワイトバランス制御工程とを順次実行することを特徴とする撮像装置の制御方法。
【請求項１２】
交換可能な撮影レンズユニットを透過して得られた被写体像を光電変換する撮像素子と、前記撮影レンズユニットに装着可能で光学的特性を変化させる光学特性可変手段の装着を識別する装着識別手段とを有する撮像装置の制御方法を実行するための、コンピュータで読み取り可能な制御プログラムであって、
前記撮像素子以外の測色センサーからのデータを用いて、ホワイトバランス調整のための第１のホワイトバランス制御信号を得る第１のホワイトバランス算出ステップと、
前記光学特性可変ステップと前記撮影レンズユニットを通して前記撮像素子から得た信号からのデータを用いて、ホワイトバランス調整のための第２のホワイトバランス制御信号を得る第２のホワイトバランス算出ステップと、
前記第１のホワイトバランス制御信号と前記第２のホワイトバランス制御信号とに基づいて、前記撮影レンズユニットと前記光学特性可変ステップの組み合わせに応じた色温度補正データを算出する色温度補正データ算出ステップと、
前記第１のホワイトバランス制御信号と前記第２のホワイトバランス制御信号と前記色温度補正データに基づいて、ホワイトバランス調整を制御するホワイトバランス制御ステップとを備えたことを特徴とする制御プログラム。
【請求項１３】
撮像装置に装着し、交換可能な撮影レンズユニットと、
前記交換可能な撮影レンズユニットを透過した被写体像を光電変換する撮像素子と、
前記撮影レンズユニットに装着可能で光学的特性を変化させる光学特性可変手段の装着を識別する装着識別手段と、
前記撮像素子以外の測色センサーからのデータを用いて、ホワイトバランス調整のための第１のホワイトバランス制御信号を得る第１のホワイトバランス算出手段と、
前記装着識別手段によって得られた前記光学特性可変手段に関するデータと前記撮影レンズユニットを通して前記撮像素子から得た信号からのデータを用いて、ホワイトバランス調整のための第２のホワイトバランス制御信号を得る第２のホワイトバランス算出手段と、
前記第１のホワイトバランス制御信号と前記第２のホワイトバランス制御信号とに基づいて、前記撮影レンズユニットと前記光学特性可変手段の組み合わせに応じた色温度補正データを算出する色温度補正データ算出手段と、
前記第１のホワイトバランス制御信号と前記第２のホワイトバランス制御信号と前記色温度補正データに基づいて、ホワイトバランス調整を制御するホワイトバランス制御手段とを有することを特徴とする撮像システム。
【請求項１４】
撮像装置に装着し、交換可能な撮影レンズユニットと、
前記交換可能な撮影レンズユニットを透過した被写体像を光電変換する撮像素子と、
前記撮影レンズユニットに装着可能で光学的特性を変化させる光学特性可変手段の装着を識別する装着識別手段と、
前記撮像素子以外の測色センサーからのデータを用いて、ホワイトバランス調整のための第１のホワイトバランス制御信号を得る第１のホワイトバランス算出手段と、
前記装着識別手段によって得られた前記光学特性可変手段に関するデータと前記撮影レンズユニットを通して前記撮像素子から得た信号からのデータを用いて、ホワイトバランス調整のための第２のホワイトバランス制御信号を得る第２のホワイトバランス算出手段と、
前記第１のホワイトバランス制御信号と前記第２のホワイトバランス制御信号とに基づいて、前記撮影レンズユニットと前記光学特性可変手段の組み合わせに応じた色温度補正データを算出する色温度補正データ算出手段と、
前記第１のホワイトバランス制御信号と前記第２のホワイトバランス制御信号と前記色温度補正データに基づいて、ホワイトバランス調整を制御するホワイトバランス制御手段とを有する撮像システムにおいて、
前記交換可能な撮影レンズユニットは、
前記撮像装置と通信する通信手段と、
前記光学特性可変手段を装着する装着手段を有し、
前記通信手段によって少なくとも前記光学特性可変手段に関するデータを、前記撮像装置に送信することを特徴とする撮像レンズユニット。
【発明の詳細な説明】
【技術分野】
【０００１】
本発明は、電子カメラ等の撮像装置及びその制御方法、撮像システム、撮像レンズユニット並びに制御プログラムに関するものである。
【背景技術】
【０００２】
従来、電子カメラでは、白い被写体を白く再現するようにホワイトバランスの調整をしている。ホワイトバランスは、一般に使用されるレンズの分光特性のうち最も標準的なレンズの分光特性を設定し、該設定された分光特性と、被写体からの光によって得られる電子カメラの赤信号回路の利得及び青信号回路の利得とを、緑信号を基準として制御して行う。
【０００３】
また、ホワイトバランスには、オートホワイトバランス方式と、マニュアルホワイトバランス方式とがある。オートホワイトバランス方式では、撮影環境の色合い（色温度）を計測する必要があり、外測センサー方式とＴＴＬ（Ｔｈｒｏｕｇｈ  Ｔｈｅ  Ｌｅｎｓ）方式とがある。外測センサー方式は、外光の色を測定して得られるデータを用いてホワイトバランスの調整を行うもので、ＴＴＬ方式は、撮像センサーの出力信号から外光の色を算出し、そのデータを用いてホワイトバランスの調整を行うものである。
【０００４】
マニュアルホワイトバランス方式では、撮影環境の光源の種類（例えば太陽光、電球、蛍光灯など）を撮影者が判断し、スイッチなどの光源選択手段により光源の種類を選択する。この光源の選択に応じて赤信号回路の利得と青信号回路の利得とが、予め設定されている光源固有の固定ゲインに設定される。または、撮影者が撮影環境の色合い（色温度）を測定し、色温度入力手段により撮影環境の色温度を入力する。撮影者の色温度の入力に応じて赤信号回路の利得と青信号回路の利得とが、予め設定されている色温度固有の固定ゲインに設定される。
【０００５】
しかし、従来のレンズ交換可能な電子カメラでは、使用レンズにより分光特性が異なるので、標準的なレンズの分光特性を設定して被写体からの色温度情報によりホワイトバランスを調整しても、実際に使用する交換レンズによっては、前記標準的なレンズとは分光特性が大きく異なり、同じ被写体でもホワイトバランスの調整が正確にできないという問題があった（例えば、特許文献１を参照）。
【０００６】
これに対して、本願出願人は、特願２００２−３６２２３８号で示したように、カメラ本体に対して交換可能な撮影レンズユニットの分光特性に相応した色温度補正情報を、撮影者が作成してカメラ本体に記憶させておき、撮影の際に前記色温度補正情報を基にホワイトバランス調整を行うことにより、良好なホワイトバランス調整が可能となるレンズ交換可能なビデオカメラ及び交換レンズを提案している（以下、従来提案方式と記す）。
【特許文献１】特公平７ ８３４８１号公報
【発明の開示】
【発明が解決しようとする課題】
【０００７】
しかしながら、上記従来提案方式では、以下のような不都合を生じていた。
【０００８】
（１）交換可能な撮影レンズユニットの分光特性に相応した色温度補正情報を作成して、カメラ本体に予め記憶していることにより、良好なホワイトバランス調整が可能であるが、撮影レンズユニットのみの分光特性に相応した色温度補正情報の作成であり、撮影レンズユニットにフィルターやエクステンダーが装着された場合には、正確な色温度補正情報の作成を行うことが困難である。
【０００９】
（２）色を変化させることを目的としたカラーフィルターが装着された場合に、撮影者が誤った色温度補正情報を作成してしまう可能性がある。
【００１０】
本発明は上記従来の問題点に鑑み、どのような交換レンズ・フィルター・エクステンダーを使用しても良好なホワイトバランス調整が行える撮像装置及びその制御方法、撮像システム、撮像レンズユニット並びに制御プログラムを提供することを目的とする。また、撮影者が任意に撮影レンズユニット及び装着されたフィルターやエクステンダーの分光特性に相応した色温度補正データの作成を行うことが可能な撮像装置及びその制御方法、撮像システム、撮像レンズユニット並びに制御プログラムを提供することを他の目的とする。
【課題を解決するための手段】
【００１１】
上記目的を達成するために、請求項１の発明である撮像装置では、交換可能な撮影レンズユニットを透過して得られた被写体像を光電変換する撮像素子と、前記撮影レンズユニットに装着可能で光学的特性を変化させる光学特性可変手段の装着を識別する装着識別手段と、前記撮像素子以外の測色センサーからのデータを用いて、ホワイトバランス調整のための第１のホワイトバランス制御信号を得る第１のホワイトバランス算出手段と、前記光学特性可変手段と前記撮影レンズユニットを通して前記撮像素子から得た信号からのデータを用いて、ホワイトバランス調整のための第２のホワイトバランス制御信号を得る第２のホワイトバランス算出手段と、前記第１のホワイトバランス制御信号と前記第２のホワイトバランス制御信号とに基づいて、前記撮影レンズユニットと前記光学特性可変手段の組み合わせ固有の色温度補正データを算出する色温度補正データ算出手段と、前記第１のホワイトバランス制御信号と前記第２のホワイトバランス制御信号と前記色温度補正データに基づいて、ホワイトバランス調整を制御するホワイトバランス制御手段とを備えたことを特徴とする。
【００１２】
請求項２の発明である撮像装置では、請求項１の発明において、前記色温度補正データ算出手段で算出された色温度補正データを、前記撮影レンズユニットの識別情報及び前記光学特性可変手段の識別情報と共に記憶する色温度補正データ記憶手段を備えたことを特徴とする。
【００１３】
請求項３の発明である撮像装置では、請求項２の発明において、前記色温度補正データ記憶手段は、複数の交換可能な撮影レンズユニットと前記光学特性可変手段の組み合わせ固有の色温度補正データを格納することを特徴とする。
【００１４】
請求項４の発明である撮像装置では、請求項３の発明において、前記装着識別手段は、前記撮影レンズユニットに装着された光学特性可変手段が色を変化させることを目的としているか否かを識別することを特徴とする。
【００１５】
請求項５の発明である撮像装置では、請求項４の発明において、前記装着識別手段は、前記撮影レンズユニットに装着された光学特性可変手段と通信して得られる前記光学特性可変手段に関する情報に基づいて、前記光学特性可変手段が色を変化させることを目的としているか否かを識別することを特徴とする。
【００１６】
請求項６の発明である撮像装置では、請求項４の発明において、前記装着識別手段は、前記第１のホワイトバランス検出手段より得られる前記第１のホワイトバランス制御信号と前記第２のホワイトバランス検出手段より得られる前記第２のホワイトバランス制御信号とを比較して、前記光学特性可変手段が色を変化させることを目的としているか否かを識別することを特徴とする。
【００１７】
請求項７の発明である撮像装置では、請求項４乃至６のいずれかの発明において、前記色温度補正データ算出手段は、前記装着識別手段によって前記撮影レンズユニットに色を変化させることを目的とした光学特性可変手段が装着されていると識別された場合に、前記色温度補正データの作成を禁止することを特徴とする。
【００１８】
請求項８の発明である撮像装置では、請求項４乃至６のいずれかの発明において、前記装着識別手段によって前記撮影レンズユニットに色を変化させることを目的とした光学特性可変手段が装着されていると識別された場合は、第１の警告情報を出力する第１の警告手段を備えたことを特徴とする。
【００１９】
請求項９の発明である撮像装置では、請求項３乃至６のいずれかの発明において、前記色温度補正データ記憶手段に格納された前記色温度補正データを使用する場合に、前記色温度補正データ記憶手段から得られる識別情報と、前記装着識別手段から得られる識別情報とが異なった場合は、第２の警告情報を出力する第２の警告手段を備えたことを特徴とする。
【００２０】
請求項１０の発明である撮像装置では、請求項９の発明において、前記第２の警告手段は、前記撮影レンズユニットに装着された前記光学特性可変手段が色を変化させることを目的とする場合は、前記第２の警告情報の出力を行わないことを特徴とする。
【００２１】
請求項１１の発明である撮像装置の制御方法では、交換可能な撮影レンズユニットを透過して得られた被写体像を光電変換する撮像素子と、前記撮影レンズユニットに装着可能で光学的特性を変化させる光学特性可変手段の装着を識別する装着識別手段とを有する撮像装置の制御方法であって、前記撮像素子以外の測色センサーからのデータを用いて、ホワイトバランス調整のための第１のホワイトバランス制御信号を得る第１のホワイトバランス算出工程と、前記光学特性可変手段と前記撮影レンズユニットを通して前記撮像素子から得た信号からのデータを用いて、ホワイトバランス調整のための第２のホワイトバランス制御信号を得る第２のホワイトバランス算出工程と、前記第１のホワイトバランス制御信号と前記第２のホワイトバランス制御信号とに基づいて、前記撮影レンズユニットと前記光学特性可変手段の組み合わせ固有の色温度補正データを算出する色温度補正データ算出工程と、前記第１のホワイトバランス制御信号と前記第２のホワイトバランス制御信号と前記色温度補正データに基づいて、ホワイトバランス調整を制御するホワイトバランス制御工程とを順次実行することを特徴とする。
【００２２】
請求項１２の発明である制御プログラムでは、交換可能な撮影レンズユニットを透過して得られた被写体像を光電変換する撮像素子と、前記撮影レンズユニットに装着可能で光学的特性を変化させる光学特性可変手段の装着を識別する装着識別手段とを有する撮像装置の制御方法を実行するための、コンピュータで読み取り可能な制御プログラムであって、前記撮像素子以外の測色センサーからのデータを用いて、ホワイトバランス調整のための第１のホワイトバランス制御信号を得る第１のホワイトバランス算出ステップと、前記光学特性可変ステップと前記撮影レンズユニットを通して前記撮像素子から得た信号からのデータを用いて、ホワイトバランス調整のための第２のホワイトバランス制御信号を得る第２のホワイトバランス算出ステップと、前記第１のホワイトバランス制御信号と前記第２のホワイトバランス制御信号とに基づいて、前記撮影レンズユニットと前記光学特性可変ステップの組み合わせ固有の色温度補正データを算出する色温度補正データ算出ステップと、前記第１のホワイトバランス制御信号と前記第２のホワイトバランス制御信号と前記色温度補正データに基づいて、ホワイトバランス調整を制御するホワイトバランス制御ステップとを備えたことを特徴とする。
【００２３】
請求項１３の発明である撮像システムでは、撮像装置に装着し、交換可能な撮影レンズユニットと、前記交換可能な撮影レンズユニットを透過した被写体像を光電変換する撮像素子と、前記撮影レンズユニットに装着可能で光学的特性を変化させる光学特性可変手段の装着を識別する装着識別手段と、前記撮像素子以外の測色センサーからのデータを用いて、ホワイトバランス調整のための第１のホワイトバランス制御信号を得る第１のホワイトバランス算出手段と、前記装着識別手段によって得られた前記光学特性可変手段に関するデータと前記撮影レンズユニットを通して前記撮像素子から得た信号からのデータを用いて、ホワイトバランス調整のための第２のホワイトバランス制御信号を得る第２のホワイトバランス算出手段と、前記第１のホワイトバランス制御信号と前記第２のホワイトバランス制御信号とに基づいて、前記撮影レンズユニットと前記光学特性可変手段の組み合わせに応じた色温度補正データを算出する色温度補正データ算出手段と、前記第１のホワイトバランス制御信号と前記第２のホワイトバランス制御信号と前記色温度補正データに基づいて、ホワイトバランス調整を制御するホワイトバランス制御手段とを有することを特徴とする。
【００２４】
請求項１４の発明である撮像レンズユニットでは、撮像装置に装着し、交換可能な撮影レンズユニットと、前記交換可能な撮影レンズユニットを透過した被写体像を光電変換する撮像素子と、前記撮影レンズユニットに装着可能で光学的特性を変化させる光学特性可変手段の装着を識別する装着識別手段と、前記撮像素子以外の測色センサーからのデータを用いて、ホワイトバランス調整のための第１のホワイトバランス制御信号を得る第１のホワイトバランス算出手段と、前記装着識別手段によって得られた前記光学特性可変手段に関するデータと前記撮影レンズユニットを通して前記撮像素子から得た信号からのデータを用いて、ホワイトバランス調整のための第２のホワイトバランス制御信号を得る第２のホワイトバランス算出手段と、前記第１のホワイトバランス制御信号と前記第２のホワイトバランス制御信号とに基づいて、前記撮影レンズユニットと前記光学特性可変手段の組み合わせに応じた色温度補正データを算出する色温度補正データ算出手段と、前記第１のホワイトバランス制御信号と前記第２のホワイトバランス制御信号と前記色温度補正データに基づいて、ホワイトバランス調整を制御するホワイトバランス制御手段とを有する撮像システムにおいて、前記交換可能な撮影レンズユニットは、前記撮像装置と通信する通信手段と、前記光学特性可変手段を装着する装着手段を有し、前記通信手段によって少なくとも前記光学特性可変手段に関するデータを、前記撮像装置に送信することを特徴とする。
【発明の効果】
【００２５】
請求項１の発明である撮像装置、請求項１１の発明である撮像装置の制御方法、請求項１２の発明である制御プログラム、請求項１３の発明である撮像システム、及び請求項１４の発明である撮像レンズユニットによれば、撮影レンズユニットと光学特性可変手段の組み合わせ固有の色温度補正データを作成することができる。これにより、撮影レンズユニットに光学特性可変手段が装着されても、撮影者が作成した前記色温度補正データを使用することによって、良好なホワイトバランス調整が可能になる。
【００２６】
請求項２の発明である撮像装置によれば、作成した前記色温度補正データに、装着された撮影レンズユニット及び光学特性可変手段の各識別情報を添付して撮像装置に保存しておくことが可能になる。
【００２７】
請求項３の発明である撮像装置によれば、様々な光学特性可変手段を装着した交換可能な撮影レンズユニットの色温度補正データを複数、撮像装置本体に保存しておくことが可能になる。これにより、撮影者は、光学特性可変手段を交換する度に、色温度補正データの作成を行う必要がなく、撮像装置本体に光学特性可変手段を装着して、直ちに色温度補正データを使用した撮影が可能になる。
【００２８】
請求項４の発明である撮像装置によれば、撮影レンズユニットに装着された光学特性可変手段が色を変化させることを目的としているかどうかによって、色温度補正データ作成時の制御を変化させることが可能になる。これにより、例えば、撮影者が色温度補正データを作成しようとした場合で、色を変化させることを目的とした光学特性可変手段が装着されていた場合は、撮影者の意図と反する色温度補正データ作成時の制御を禁止することが可能になる。
【００２９】
請求項５の発明である撮像装置によれば、撮影レンズユニットに光学特性可変手段が装着されていた場合に、光学特性可変手段が色を変化させることを目的としているか否かを自動で識別することが可能になる。
【００３０】
請求項６の発明である撮像装置によれば、撮像装置本体が、光学特性可変手段と通信しなくとも、第１と第２のホワイトバランス制御信号を比較することによって、光学特性可変手段が色を変化させることを目的としているかどうかを識別することが可能になる。
【００３１】
請求項７の発明である撮像装置によれば、色を変化させることを目的とした光学特性可変手段が装着された状態で、撮影者が色温度補正データを作成しようとした場合に、色温度補正データの作成を禁止することが可能になる。
【００３２】
請求項８の発明である撮像装置によれば、色を変化させることを目的とした光学特性可変手段が装着された状態で、撮影者が色温度補正データを作成しようとした場合に、撮影者に警告をすることが可能になる。これにより、撮影者の意図と異なった色温度補正データの作成を防止することが可能になる。
【００３３】
請求項９の発明である撮像装置によれば、撮影者が選択した色温度補正データの光学特性可変手段の組み合わせと、撮像装置本体に装着されている色温度補正データの光学特性可変手段の組み合わせが異なった場合に、撮影者に警告することが可能になる。これにより、撮影者が誤った色温度補正データを使用して撮影することを防止することができる。
【００３４】
請求項１０の発明である撮像装置によれば、使用する色温度補正データの光学特性可変手段の組み合わせと、撮像装置本体に装着された光学特性可変手段の組み合わせとは異なっているが、装着された光学特性可変手段が色を変化させることを目的とする場合には、撮影者への警告を禁止することが可能になる。これにより、撮影者が、色を変化させることを目的とした光学特性可変手段を撮像装置本体に装着して、色温度補正データを使用した撮影を行う場合に、良好なホワイトバランス調整が可能になる。
【発明を実施するための最良の形態】
【００３５】
本発明の撮像装置及びその制御方法、撮像システム、撮像レンズユニット、並びに制御プログラムの実施の形態について、図面を参照しながら説明する。本実施形態の撮像装置は、例えば電子カメラに適用される。
【００３６】
＜電子カメラの構成＞
図１は、本発明の実施の一形態に係る撮像装置である電子カメラを示す概略外観図である。
【００３７】
図中の１００は電子カメラ本体であり、３００は交換可能な撮影レンズユニットである。また、４００は、例えば、カラーフィルターやエクステンダーといった撮影画像に所望の効果を付けるための交換可能な光学特性可変ユニットであり、１５１は、外光の色温度を測定する測色センサーである。
【００３８】
図２は、図１に示した電子カメラの電気的構成を示すブロック図であり、図３は、図２中のシステム制御部の周辺回路を示すブロック図である。
【００３９】
同図において、１００は電子カメラ本体であり、１２は撮像素子１４への露光量を制御するためのシャッター、１４は光学像を電気信号に変換する撮像素子である。レンズ３１０に入射した光線は、一眼レフ方式によって、絞り３１２、レンズマウント３０６，１０６、ミラー１３０、及びシャッター１２を介して導き、光学像として撮像素子１４上に結像するようになっている。
【００４０】
１３０、１３２はミラーであり、レンズ３１０に入射した光線を一眼レフ方式によって光学ファインダー１０４に導くものである。なお、ミラー１３０は、クイックリターンミラーの構成、或いはハーフミラーの構成のどちらでも構わない。
【００４１】
１６は、撮像素子１４のアナログ信号出力をデジタル信号に変換するＡ／Ｄ変換器である。１８は、撮像素子１４、Ａ／Ｄ変換器１６及びＤ／Ａ変換器２６にクロック信号や制御信号を供給するタイミング発生回路であり、メモリ制御回路２２及びシステム制御回路５０により制御される。２０は画像処理回路であり、Ａ／Ｄ変換器１６からのデータ或いはメモリ制御回路２２からのデータに対して所定の画素補間処理や色変換処理を行う。
【００４２】
また、本電子カメラは、画像処理回路２０において、必要に応じて、撮像した画像データを用いて所定の演算処理を行い、その得られた演算結果に基づいてシステム制御回路５０がシャッター制御部４０及び測距制御部４２に対して制御を行う、ＴＴＬ（スルー・ザ・レンズ）方式のＡＦ（オートフォーカス）処理、ＡＥ（自動露出）処理、及びＥＦ（フラッシュ調光）処理を行うことができる。さらに、画像処理回路２０においては、ホワイトバランス制御回路１５６より得られた演算結果に基づいてＷＢ（ホワイトバランス）処理も行っている。
【００４３】
２２はメモリ制御回路であり、Ａ／Ｄ変換器１６、タイミング発生回路１８、画像処理回路２０、画像表示メモリ２４、Ｄ／Ａ変換器２６、メモリ３０、及び圧縮・伸長回路３２を制御する。Ａ／Ｄ変換器１６のデータが、画像処理回路２０及びメモリ制御回路２２を介して、或いはＡ／Ｄ変換器１６のデータが直接メモリ制御回路２２を介して、画像表示メモリ２４或いはメモリ３０に書き込まれる。
【００４４】
２４は画像表示メモリ、２６はＤ／Ａ変換器、２８はＴＦＴ・ＬＣＤ等から成る画像表示部であり、画像表示メモリ２４に書き込まれた表示用の画像データは、Ｄ／Ａ変換器２６を介して画像表示部２８により表示される。画像表示部２８を用いて撮像した画像データを逐次表示すれば、電子ファインダー機能を実現することが可能である。
【００４５】
また、画像表示部２８は、システム制御回路５０の指示により任意に表示をＯＮ／ＯＦＦすることが可能であり、表示をＯＦＦにした場合には電子カメラ本体１００の電力消費を大幅に低減することができる。
【００４６】
３０は、撮影した静止画像や動画像を格納するためのメモリであり、所定枚数の静止画像や所定時間の動画像を格納するのに十分な記憶量を備えている。これにより、複数枚の静止画像を連続して撮影する連射撮影やパノラマ撮影の場合にも、高速かつ大量の画像書き込みをメモリ３０に対して行うことが可能になる。また、メモリ３０は、システム制御回路５０の作業領域としても使用することが可能である。
【００４７】
３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む。
【００４８】
４０は、測光部４６からの測光情報に基づいて、絞り３１２を制御する絞り制御部３４０と連携しながら、シャッター１２を制御するシャッター制御部である。４２はＡＦ（オートフォーカス）処理を行うための測距部であり、レンズ３１０に入射した光線を、一眼レフ方式によって、絞り３１２、レンズマウント３０６，１０６、ミラー１３０、及び不図示の測距用サブミラーを介して、測距部４２に入射させることにより、光学像として結像された画像の合焦状態を測定する。
【００４９】
４６はＡＥ（自動露出）処理を行うための測光部であり、レンズ３１０に入射した光線を、一眼レフ方式によって、絞り３１２、レンズマウント３０６及び１０６、ミラー１３０及び１３２そして不図示の測光用レンズを介して、測光部４６に入射させることにより、光学像として得られた画像の露出状態を測定する。また、測光部４６は、フラッシュ４８と連携することによりＥＦ（フラッシュ調光）処理機能も有するものである。
【００５０】
４８はフラッシュであり、ＡＦ補助光の投光機能及びフラッシュ調光機能を有する。
【００５１】
なお、撮像素子１４によって撮像された画像データを画像処理回路２０によって演算した結果に基づき、システム制御回路５０がシャッター制御部４０、絞り制御部３４０及び測距制御部３４２に対して制御を行う、ビデオＴＴＬ方式を用いて露出制御及びＡＦ（オートフォーカス）制御をすることも可能である。さらに、測距部４２による測定結果と、撮像素子１４によって撮像された画像データを画像処理回路２０によって演算した演算結果とを共に用いて、ＡＦ（オートフォーカス）制御を行っても構わない。そして、測光部４６による測定結果と、撮像素子１４によって撮像した画像データを画像処理回路２０によって演算した演算結果とを共に用いて、露出制御を行っても構わない。
【００５２】
５０は電子カメラ本体１００全体を制御するシステム制御回路、５２はシステム制御回路５０の動作用の定数、変数、プログラム等を記憶するメモリである。５４はシステム制御回路５０でのプログラムの実行に応じて、文字、画像、音声等を用いて動作状態やメッセージ等を表示する液晶表示装置及びスピーカー等の表示部であり、電子カメラ本体１００の操作部近辺の視認し易い位置に単数或いは複数個所設置され、例えばＬＣＤやＬＥＤ、発音素子等の組み合わせにより構成されている。また、表示部５４は、その一部の機能が光学ファインダー１０４内に設置されている。
【００５３】
表示部５４の表示内容のうち、ＬＣＤ等に表示するものとしては、例えば、シングルショット／連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００及び２１０の着脱状態表示、レンズユニット３００の着脱状態表示、通信Ｉ／Ｆ動作表示、日付・時刻表示、外部コンピュータとの接続状態を示す表示、等がある。
【００５４】
また、表示部５４の表示内容のうち、光学ファインダー１０４内に表示するものとしては、例えば、合焦表示、撮影準備完了表示、手振れ警告表示、フラッシュ充電表示、フラッシュ充電完了表示、シャッタースピード表示、絞り値表示、露出補正表示、及び記録媒体書き込み動作表示、等がある。さらに、表示部５４の表示内容のうち、ＬＥＤ等に表示するものとしては、例えば、合焦表示、撮影準備完了表示、手振れ警告表示、手振れ警告表示、フラッシュ充電表示、フラッシュ充電完了表示、記録媒体書き込み動作表示、マクロ撮影設定通知表示、及び二次電池充電状態表示等がある。そして、表示部５４の表示内容のうち、ランプ等に表示するものとしては、例えば、セルフタイマー通知ランプ等がある。このセルフタイマー通知ランプは、ＡＦ補助光と共用して用いても良い。
【００５５】
５６は電気的に消去・記録可能な不揮発性メモリであり、例えばＥＥＰＲＯＭ等が用いられる。６０、６２、６４、６６、６８、７０及び７２は、システム制御回路５０の各種の動作指示を入力するための操作部であり、スイッチやダイアル、タッチパネル、視線検知によるポインティング、音声認識装置等の単数或いは複数の組み合わせで構成される。
【００５６】
ここで、これらの操作部の具体的な説明を行う。
【００５７】
６０はモードダイアルスイッチで、自動撮影モード、プログラム撮影モード、シャッター速度優先撮影モード、絞り優先撮影モード、マニュアル撮影モード、焦点深度優先（デプス）撮影モード、ポートレート撮影モード、風景撮影モード、接写撮影モード、スポーツ撮影モード、夜景撮影モード、及びパノラマ撮影モード等の各機能撮影モードを切り替え設定することができる。６２はシャッタースイッチＳＷ１で、不図示のシャッターボタンの操作途中でＯＮとなり、ＡＦ（オートフォーカス）処理、ＡＥ（自動露出）処理、ＷＢ（ホワイトバランス）処理、及びＥＦ（フラッシュ調光）処理等の動作開始を指示する。
【００５８】
６４はシャッタースイッチＳＷ２であり、不図示のシャッターボタンの操作完了でＯＮとなり、撮像素子１４から読み出した信号をＡ／Ｄ変換器１６及びメモリ制御回路２２を介してメモリ３０に書き込む露光処理、画像処理回路２０やメモリ制御回路２２での演算を用いた現像処理、メモリ３０から画像データを読み出し、圧縮・伸長回路３２で圧縮を行い、記録媒体２００或いは２１０に書き込む記録処理という一連の処理の動作開始を指示する。
【００５９】
６６は色温度補正データ登録スイッチであり、色温度補正データ算出回路１５５によって装着されたレンズユニット３００固有の色温度補正データを算出するための撮影シーケンスの開始を指示する。６８は色温度補正モードスイッチであり、色温度補正データ算出回路１５５によって算出される装着されたレンズユニット３００固有の色温度補正データを使用した撮影を指示する。
【００６０】
７０は色温度補正データ選択スイッチであり、色温度補正データ記憶部１５７に格納されている複数の色温度補正データから任意の色温度補正データを選択する。７２はホワイトバランス選択スイッチである。このホワイトバランス選択スイッチ７２は、オートホワイトバランスとマニュアルホワイトバランスとを選択する。オートホワイトバランスとは、外光の色を測定して得られる色温度データを用いる外測センサー方式と、撮像センサーの出力信号から外光の色を算出しその色温度データを用いるＴＴＬ方式とによってホワイトバランスの調整を行うものであり、また、マニュアルホワイトバランスとは、撮影環境の光源の種類（例えば太陽光、電球、蛍光灯など）を撮影者が判断し、光源選択部（不図示）により光源の種類を選択、または撮影者が撮影環境の色合い（色温度）を測定し、色温度入力部により電子カメラに撮影環境の色温度を入力し、この光源の選択や色温度の入力に応じて赤信号回路の利得と青信号回路の利得とが、予め設定されている光源及び色温度固有の固定ゲインに設定されるものである。
【００６１】
７４は各種ボタンやタッチパネル等からなる操作部であり、メニューボタン、セットボタン、マクロボタン、マルチ画面再生改ページボタン、フラッシュ設定ボタン、単写／連写／セルフタイマー切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付／時間設定ボタン、パノラマモード等の撮影及び再生を実行する際に各種機能の選択及び切り替えを設定する選択／切り替えボタン、パノラマモード等の撮影及び再生を実行する際に各種機能の決定及び実行を設定する決定／実行ボタン、画像表示部２８のＯＮ／ＯＦＦを設定する画像表示ＯＮ／ＯＦＦスイッチ、撮影直後に撮影した画像データを自動再生するクイックレビュー機能を設定するクイックレビューＯＮ／ＯＦＦスイッチ、ＪＰＥＧ圧縮の圧縮率を選択するため或いは撮像素子の信号をそのままデジタル化して記録媒体に記録するＣＣＤＲＡＷモードを選択するためのスイッチである圧縮モードスイッチ、再生モード、マルチ画面再生・消去モード、ＰＣ接続モード等の各機能モードを設定することができる再生スイッチ、シャッタースイッチＳＷ１を押したならばオートフォーカス動作を開始し一旦合焦したならば、その合焦状態を保ち続けるワンショットＡＦモードとシャッタースイッチＳＷ１を押している間は連続してオートフォーカス動作を続けるサーボＡＦモードとを設定することができるＡＦモード設定スイッチ等がある。また、上記プラスボタン及びマイナスボタンの各機能は、回転ダイアルスイッチを備えることによって、より軽快に数値や機能を選択することが可能になる。
【００６２】
７６は電源スイッチであり、電子カメラ本体１００の電源のオン／オフの各モードを切り替え設定し、また、電子カメラ本体１００に接続されたレンズユニット３００、不図示の外部ストロボ、記録媒体２００、２１０等の各種付属装置の電源オン、及び電源オフの設定も併せて切り替え設定する。
【００６３】
８０は電源制御部で、電池検出回路、ＤＣ−ＤＣコンバータ、及び通電するブロックを切り替えるスイッチ回路等により構成されており、電池の装着の有無、電池の種類、及び電池残量の検出を行い、その検出結果及びシステム制御回路５０の指示に基づいてＤＣ−ＤＣコンバータを制御し、必要な電圧を必要な期間、記録媒体を含む各部へ供給する。
【００６４】
８２，８４はコネクタ、８６はアルカリ電池やリチウム電池等の一次電池やＮｉＣｄ電池やＮｉＭＨ電池、Ｌｉ電池等の二次電池、ＡＣアダプター等から成る電源部である。９０及び９４はメモリカードやハードディスク等の記録媒体とのインターフェース、９２及び９６はメモリカードやハードディスク等の記録媒体と接続を行うコネクタ、９８はコネクタ９２，９６にそれぞれ記録媒体２００，２１０が装着されているか否かを検知する記録媒体着脱検知部である。
【００６５】
なお、本実施形態では、記録媒体を取り付けるインターフェース及びコネクタを２系統持つものとして説明している。もちろん、記録媒体を取り付けるインターフェース及びコネクタは、単数或いは複数、いずれの系統数を備える構成としても構わない。また、異なる規格のインターフェース及びコネクタを組み合わせて備える構成としても構わない。
【００６６】
インターフェース及びコネクタとしては、ＰＣＭＣＩＡカードやＣＦ（コンパクトフラッシュ）カード等の規格に準拠したものを用いて構成して構わない。さらに、インターフェース９０及び９４、そしてコネクタ９２及び９６をＰＣＭＣＩＡカードやＣＦ（コンパクトフラッシュ（登録商標））カード等の規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳ等の通信カード等の各種通信カードを接続することにより、他のコンピュータやプリンタ等の周辺機器との間で画像データや画像データに付属した管理情報を転送し合うことができる。
【００６７】
１０４は光学ファインダーであり、レンズ３１０に入射した光線を、一眼レフ方式によって、絞り３１２、レンズマウント３０６，１０６、ミラー１３０，１３２を介して導き、光学像として表示することができる。これにより、画像表示部２８による電子ファインダー機能を使用すること無しに、光学ファインダー１０４のみを用いて撮影を行うことが可能である。また、光学ファインダー１０４内には、表示部５４の一部の機能、例えば、合焦表示、手振れ警告表示、フラッシュ充電表示、シャッタースピード表示、絞り値表示、及び露出補正表示などが設置されている。
【００６８】
１１０は通信部であり、ＲＳ２３２ＣやＵＳＢ、ＩＥＥＥ１３９４、Ｐ１２８４、ＳＣＳＩ、モデム、ＬＡＮ、無線通信、等の各種通信機能を有する。１１２は、通信部１１０により電子カメラ本体１００を他の機器と接続するコネクタ、或いは無線通信の場合はアンテナである。１２０は、レンズマウント１０６内において、電子カメラ本体１００をレンズユニット３００と接続するためのインターフェース、１２２は電子カメラ本体１００をレンズユニット３００と電気的に接続するコネクタ、１２４はレンズマウント１０６及び或いはコネクタ１２２にレンズユニット３００が装着されているか否かを検知するレンズ着脱検知部である。
【００６９】
コネクタ１２２は、電子カメラ本体１００とレンズユニット３００との間で制御信号、状態信号、データ信号等を伝え合うと共に、各種電圧の電流を供給する機能も備えている。また、コネクタ１２２は電気通信のみならず、光通信、音声通信等を伝達する構成としても良い。
【００７０】
１５１は測色センサーであり、撮影した画像のホワイトバランスを調整するために外光色を測色する。１５２は測色センサー１５１のアナログ信号出力をデジタル信号に変換するＡ／Ｄ変換器である。１５３は外測ホワイトバランス算出回路であり、ホワイトバランス用Ａ／Ｄ変換器１５２からの出力を受けて外光の色温度を算出する。
【００７１】
１５４は内測ホワイトバランス算出回路であり、ＴＴＬ方式により撮像した画像データを用いて色温度を算出する。１５５は色温度補正データ算出回路であり、外測ホワイトバランス算出回路１５３で算出された外測色温度と内測ホワイトバランス算出回路１５４で算出された内測色温度とを比較して、装着されているレンズユニット３００固有の分光特性に相応する色温度補正データを算出する。
【００７２】
１５６はホワイトバランス制御回路であり、撮影者の光源選択や色温度入力に応じて予め設定されたホワイトバランス調整のゲインと、外測ホワイトバランス算出回路１５３によって算出された外測色温度と、内測ホワイトバランス算出回路１５４によって算出された内測色温度と、色温度補正データ算出回路１５５によって算出された色温度補正データ等によって、画像処理回路２０がホワイトバランスの処理を行うのに必要なホワイトバランス補正データを算出する。
【００７３】
１５７は色温度補正データ記憶部であり、装着されているレンズユニット３００及び光学特性可変ユニット４００の組み合わせ固有の色温度補正データと、レンズユニット３００及び光学特性可変ユニット４００の組み合わせの色温度補正データに対応するレンズユニット３００及び光学特性可変ユニット４００の各種レンズ情報とを複数記憶する。このように、様々なフィルターやエクステンダーを装着した交換可能な撮影レンズユニットの色温度補正データを複数カメラ本体に保存しておくことができる。
【００７４】
１６０は光学特性可変ユニット識別部であり、電子カメラ本体１００やレンズユニット３００に装着された光学特性可変ユニット４００を識別検知する。１６２は、光学特性可変ユニット装着警告部であり、色温度補正モードスイッチ６８によって、色温度補正データを使用する撮影方法が選択された場合に、色温度補正データ選択スイッチ７０によって選択された色温度補正データの光学特性可変ユニットの組み合わせと、装着されている光学特性可変ユニットの組み合わせとが異なった場合は、撮影者に光学特性可変ユニットの組み合わせが異なっていることを表示部５４によって警告する。
【００７５】
１６４は、色温度補正データ算出警告部であり、色温度補正データ登録スイッチ６６によって、装着されたレンズユニット３００及び光学特性可変ユニット４００の色温度補正データを算出する場合において、光学特性可変ユニット識別部１６０によって装着された光学特性可変ユニット４００が色を変化させることを目的としたカラーフィルターと識別されたときは、撮影者に色温度補正データの算出が不適当であることを表示部５４によって警告する。
【００７６】
２００はメモリカードやハードディスク等の記録媒体である。記録媒体２００は、半導体メモリや磁気ディスク等から構成される記録部２０２、電子カメラ本体１００とのインターフェース２０４、電子カメラ本体１００と接続を行うコネクタ２０６を備えている。
【００７７】
２１０はメモリカードやハードディスク等の記録媒体である。記録媒体２１０は、半導体メモリや磁気ディスク等から構成される記録部２１２と、電子カメラ本体１００とのインターフェース２１４と、電子カメラ本体１００と接続を行うコネクタ２１６とを備えている。
【００７８】
３００は交換レンズタイプのレンズユニットであり、３０６は、レンズユニット３００を電子カメラ本体１００と機械的に結合するレンズマウントである。レンズマウント３０６内には、レンズユニット３００を電子カメラ本体１００と電気的に接続する各種機能が含まれている。
【００７９】
３１０は撮影レンズ、３１２は絞りである。３２０は、レンズマウント３０６及び付属品マウント３２４内において、レンズユニット３００及び光学特性可変ユニット４００を電子カメラ本体１００と接続するためのインターフェースであり、３２２はレンズユニット３００を電子カメラ本体１００と電気的に接続するコネクタである。コネクタ３２２は、電子カメラ本体１００とレンズユニット３００との間で、制御信号、状態信号及びデータ信号等を伝え合うと共に、各種電圧の電流を供給される或いは供給する機能も備えている。また、コネクタ３２２は電気通信のみならず、光通信や音声通信等を伝達する構成としても良い。
【００８０】
３２４は、レンズユニット３００を光学特性可変ユニット４００と機械的に結合する付属品マウントである。付属品マウント３２４内には、レンズユニット３００を光学特性可変ユニット４００と電気的に接続する各種機能が含まれている。３２６はレンズユニット３００を光学特性可変ユニット４００と電気的に接続するコネクタである。コネクタ３２６は、光学性可変ユニット４００とレンズユニット３００との間で、制御信号、状態信号及びデータ信号などを伝え合うと共に、各種電圧の電流を供給される或いは供給する機能も備えている。またコネクタ３２６は電気通信のみならず、光通信、音声通信等を伝達する構成としても良い。
【００８１】
３４０は絞り制御部であり、測光部４６からの測光情報に基づいて、シャッター１２を制御するシャッター制御部４０と連携しながら、絞り３１２を制御する。３４２は撮影レンズ３１０のフォーカシングを制御する測距制御部、３４４は撮影レンズ３１０のズーミングを制御するズーム制御部である。
【００８２】
３５０は、レンズユニット３００全体を制御するレンズシステム制御回路である。レンズシステム制御回路３５０は、動作用の定数、変数及びプログラム等を記憶するメモリの機能のほか、レンズユニット３００固有の番号等の識別情報或いは管理情報、開放絞り値や最小絞り値、焦点距離等の機能情報、及び現在や過去の各設定値などを保持する不揮発メモリの機能も備えている。
【００８３】
４００は、レンズユニット３００に装着可能な光学特性可変ユニットである。光学特性可変ユニット４００には、フィルターやエクステンダーなどが含まれている。
【００８４】
４１０はレンズである。４１２は、光学特性可変ユニット４００をレンズユニット３００と機械的に結合する付属品マウントである。付属品マウント４１２内には、光学特性可変ユニット４００をレンズユニット３００と電気的に接続する各種機能が含まれている。
【００８５】
４１４は、レンズユニット３００を光学特性可変ユニット４００と電気的に接続するコネクタである。コネクタ４１４は、光学性可変ユニット４００とレンズユニット３００との間で制御信号、状態信号及びデータ信号などを伝え合うと共に、各種電圧の電流を供給される或いは供給する機能も備えている。またコネクタ４１４は、電気通信のみならず、光通信、音声通信等を伝達する構成としても良い。
【００８６】
４１６は付属品マウント３２４内において、光学特性可変ユニット４００をレンズユニット３００と接続するためのインターフェースである。４１８は、光学特性可変ユニット４００全体を制御する光学特性可変システム制御回路である。光学特性可変システム制御回路４１８は、動作用の定数、変数、プログラム等を記憶するメモリの機能のほか、光学特性可変ユニット４００固有の番号等の識別情報或いは管理情報、開放絞り値や最小絞り値、焦点距離等の機能情報、及び現在や過去の各設定値などを保持する不揮発メモリの機能も備えている。
【００８７】
＜電子カメラの動作＞
Ｉ．色温度補正データの作成
図４は、装着されたレンズ及び付属品の色温度補正データを作成するための処理を示すフローチャートである。
【００８８】
まず、ステップＳ１０１において、色温度補正データ登録スイッチ６６がＯＮになると、システム制御回路５０は、電子カメラ本体１００に装着されたレンズユニット３００及び光学特性可変ユニット４００との組み合わせ固有の色温度補正データを作成するための色温度補正データ作成モードになる。
【００８９】
次のステップＳ１０２では、光学特性可変ユニット識別部１６０によって、レンズユニット３００に光学特性可変ユニット４００が装着されているかどうかを識別する。前記ステップＳ１０２において、光学特性可変ユニット４００が装着されていると識別されると、ステップＳ１０３へ進んで、システム制御回路５０は、光学特性可変ユニット４００の光学特性可変システム制御回路４１８から、光学特性可変ユニット４００固有の番号等の識別情報或いは管理情報を取得する。
【００９０】
続くステップＳ１０４では、ステップＳ１０３で得られた光学特性可変ユニット４００固有の番号等の識別情報或いは管理情報により、装着された光学特性可変ユニット４００が色を変化させることを目的としたカラーフィルターかどうかを識別する。装着された光学特性可変ユニット４００がカラーフィルターであった場合は、ステップＳ１１２へ進んで、色温度補正データ算出警告部１６４は撮影者に対して、色温度補正データの算出が不適当であることを表示部５４によって警告する。このように、色を変化させることを目的としたカラーフィルターが装着された状態で、撮影者が色温度補正データを作成しようとした場合に、色温度補正データの作成を禁止することができる。
【００９１】
前記ステップＳ１０４において、装着された光学特性可変ユニット４００がカラーフィルターでなかったと識別された場合は、ステップＳ１０５へ進んで、シャッタースイッチＳＷ１（６２）がＯＮとなるのを待つ。シャッタースイッチＳＷ１（６２）がＯＮになると、ステップＳ１０６において、測色センサー１５１によって外光の光の測色を行い、測色センサー１５１からのアナログの出力をＡ／Ｄ変換器１５２によってデジタル信号に変換し、測色センサー１５１より得られた赤信号Ｒ１と青信号Ｂ１の比率から、外測ホワイトバランス算出回路１５３によって外光の色温度としてＲ１／Ｇ１及びＢ１／Ｇ１を得る。
【００９２】
その後のステップＳ１０７でシャッタースイッチＳＷ２（６４）がＯＮになると、ステップＳ１０８で、撮影者はある所定の白紙を撮影する。さらに、ステップＳ１０９において、撮像素子１４は、装着されたレンズユニット３００及び光学特性可変ユニット４００を透過した光を受光し、撮像素子１４からのアナログ信号の出力をＡ／Ｄ変換器１６によってデジタル信号に変換し、撮像素子１４より得られた赤信号Ｒ２と青信号Ｂ２の比率から、内測ホワイトバランス算出回路１５４によってレンズユニット３００及び光学特性可変ユニット４００を透過した外光の色温度としてＲ２／Ｇ２とＢ２／Ｇ２を得る。
【００９３】
その後のステップＳ１１０では、外測ホワイトバランス算出回路１５３で得られた、外光の色温度Ｒ１／Ｇ１及びＢ１／Ｇ１と、内測ホワイトバランス算出回路１５４によって得られた、レンズユニット３００及び光学特性可変ユニット４００を透過した外光の色温度Ｒ２／Ｇ２及びＢ２／Ｇ２とから、色温度補正データ算出回路１５５は、レンズユニット３００及び光学特性可変ユニット４００の組み合わせ固有の分光特性に相応する色温度補正データＲ３／Ｇ３とＢ３／Ｇ３を算出する。
【００９４】
そして、ステップＳ１１１では、色温度補正データ算出回路１５５より得られた、レンズユニット３００及び光学特性可変ユニット４００の組み合わせ固有の色温度補正データＲ３／Ｇ３及びＢ３／Ｇ３を、レンズユニット３００のレンズシステム制御回路３５０より得られたレンズユニット３００固有の番号等の識別情報或いは管理情報と、光学特性可変ユニット４００の光学特性可変システム制御回路４１８より得られた、光学特性可変ユニット４００固有の番号等の識別情報或いは管理情報と共に、色温度補正データ記憶部１５７に格納する。
【００９５】
一方、前記ステップＳ１０２において、光学特性可変ユニット４００が装着されていないと識別された場合は、ステップＳ１２１へ進んで、シャッタースイッチＳＷ１（６２）がＯＮになるのを待つ。シャッタースイッチＳＷ１（６２）がＯＮになると、ステップＳ１２２において、測色センサー１５１によって外光の光の測色を行い、測色センサー１５１からのアナログの出力をＡ／Ｄ変換器１５２によってデジタル信号に変換し、測色センサー１５１より得られた赤信号Ｒ１と青信号Ｂ１の比率から、外測ホワイトバランス算出回路１５３によって外光の色温度としてＲ１／Ｇ１及びＢ１／Ｇ１を得る。
【００９６】
その後のステップＳ１２３において、シャッタースイッチＳＷ２（６４）がＯＮになると、ステップＳ１２４で、撮影者はある所定の白紙を撮影する。そして、ステップＳ１２５において、撮像素子１４は、装着されたレンズユニット３００及び光学特性可変ユニット４００を透過した光を受光し、撮像素子１４からのアナログ信号の出力をＡ／Ｄ変換器１６によってデジタル信号に変換し、撮像素子１４より得られた赤信号Ｒ２と青信号Ｂ２の比率から、内測ホワイトバランス算出回路１５４によってレンズユニット３００及び光学特性可変ユニット４００を透過した外光の色温度としてＲ２／Ｇ２及びＢ２／Ｇ２を得る。
【００９７】
続くステップＳ１２６では、外測ホワイトバランス算出回路１５３で得られた、外光の色温度Ｒ１／Ｇ１及びＢ１／Ｇ１と、内測ホワイトバランス算出回路１５４によって得られた、レンズユニット３００及び光学特性可変ユニット４００を透過した外光の色温度Ｒ２／Ｇ２とＢ２／Ｇ２との差が所定量以上であった場合は、装着された光学特性可変ユニット４００は色を変化させることを目的とするカラーフィルターであると判断し、ステップＳ１２７において、色温度補正データ算出警告部１６４は撮影者に色温度補正データの算出が不適当であることを表示部５４によって警告する。
【００９８】
前記ステップＳ１２６において、上記の差が所定量以下であった場合は、前記したステップＳ１１０以降の処理を行う。
【００９９】
このような制御により、撮影者は、電子カメラに装着された交換可能な撮影レンズユニットとフィルターとエクステンダーとの組み合わせ固有の分光特性に相応する色温度補正データの作成が可能なる。また、作成した撮影レンズユニット固有の色温度補正データに装着された撮影レンズとフィルターとエクステンダーの識別情報を添付して電子カメラに保存しておくことが可能となる。
【０１００】
ＩＩ．本実施形態の撮影処理
図５は、装着されたレンズユニット３００及び光学特性可変ユニット４００の組み合わせ固有の色温度補正データを使用した本実施形態の撮影処理を示すフローチャートである。
【０１０１】
まず、ステップＳ２０１において、シャッタースイッチＳＷ１（６２）がＯＮすると、続くステップＳ２０２では、ホワイトバランス選択スイッチ７２の操作によってホワイトバランス処理が、オートホワイトバランスであるか、或いはマニュアルホワイトバランスかを判別する。
【０１０２】
オートホワイトバランスが選択されていた場合は、ステップＳ２０３へ進んで、測色センサー１５１によって外光の光の測色を行う。その結果、測色センサー１５１からのアナログ信号の出力は、Ａ／Ｄ変換器１５２によってデジタル信号に変換され、測色センサー１５１より得られた赤信号Ｒと青信号Ｂの比率から、外測ホワイトバランス算出回路１５３によって外測ホワイトバランス調整のゲインが算出される。
【０１０３】
その後のステップＳ２０４で、シャッタースイッチＳＷ２（６４）がＯＮになると、ステップＳ２０５で撮像素子１４に画像データが蓄積される。そしてステップＳ２０６において、撮像素子１４からのアナログ信号の出力は、Ａ／Ｄ変換器１６によってデジタル信号に変換され、撮影した画像データより得られた赤信号Ｒと青信号Ｂの比率から、内測ホワイトバランス算出回路１５４によって、内測ホワイトバランス調整のゲインが算出される。
【０１０４】
その後のステップＳ２０９では、ホワイトバランス制御回路１５６は、装着されたレンズユニット３００のレンズシステム制御回路３５０より得たレンズユニット３００固有の番号等の識別情報或いは管理情報と、光学特性可変ユニット４００の光学特性可変システム制御回路４１８より得られた、光学特性可変ユニット４００固有の番号等の識別情報或いは管理情報などの各種情報とに基づき、色温度補正データ記憶部１５７から、装着されたレンズユニット３００及び光学特性可変ユニット４００の組み合わせ固有の色温度補正データを読み込む。
【０１０５】
次のステップＳ２１０において、ホワイトバランス制御回路１５６は、外測ホワイトバランス調整のゲインと、内測ホワイトバランスのゲインと、装着されたレンズユニット３００固有の色温度補正データとによって算出した撮影画像のホワイトバランスの補正値を画像処理回路２０に送り、撮影画像のホワイトバランス調整を行う。
【０１０６】
さらに、ステップＳ２１１においては、画像データと共に、装着されたレンズユニット３００及び光学特性可変ユニット４００の組み合わせ固有の色温度補正データを撮影画像に付随する各種撮影情報として、記憶部２０２や記録部２１２に格納する。
【０１０７】
一方、前記ステップＳ２０２において、ホワイトバランス選択スイッチ７２の操作によってマニュアルホワイトバランスが選択されていた場合には、ステップＳ２０７でシャッタースイッチＳＷ２（６４）がＯＮになると、ステップＳ２０８へ進んで撮像素子１４に画像データが蓄積され、撮像素子１４からのアナログ信号の出力はＡ／Ｄ変換器１６によってデジタル信号に変換される。
【０１０８】
その後は、前記ステップＳ２０９と同様の処理を行い、続くステップＳ２１０においては、ホワイトバランス制御回路１５６は、撮影者がホワイトバランス選択スイッチ（７２）で任意に入力した光源の種類や色温度の入力に応じて、予め記憶されているホワイトバランス調整のゲインと、装着されたレンズユニット３００及び光学特性可変ユニット４００の組み合わせ固有の色温度補正データとによって算出した撮影画像のホワイトバランス処理の補正値を画像処理回路２０に送り、画像処理回路２０にて撮影画像のホワイトバランス調整を行う。
【０１０９】
そして、ステップＳ２１１において、画像データと共に、装着されたレンズユニット３００及び光学特性可変ユニット４００の組み合わせ固有の色温度補正データを撮影画像に付随する各種撮影情報として、記憶媒体２７に格納する。
【０１１０】
ＩＩＩ．色温度補正データ選択及び警告の動作
図６は、本実施形態に係る色温度補正データの選択及び警告の動作を示すフローチャートであり、色温度補正データが色温度データ記憶手段に格納されていないレンズユニット３００や光学特性可変ユニット４００が電子カメラ本体１００に装着されたときの色温度補正データ選択及び警告の動作を示している。
【０１１１】
まず、ステップＳ３０１において、色温度補正モードスイッチ６８がＯＮになると、次のステップＳ３０２では、ホワイトバランス制御回路１５６は、装着されたレンズユニット３００のレンズシステム制御回路３５０からレンズユニット３００固有の番号等の識別情報或いは管理情報などの各種レンズ情報の読み込み動作と、さらに光学特性可変ユニット４００の光学特性可変システム制御回路４１８から光学特性可変ユニット４００固有の番号等の識別情報或いは管理情報等の各種フィルター情報の読み込み動作とを行い、これらの情報を取得することができたか否かを判定する。前記の各種レンズ情報及び各種フィルター情報を取得することができたときには、ステップＳ３０３へ進む。
【０１１２】
ステップＳ３０３では、ホワイトバランス制御回路１５６は、前記各種レンズ情報と前記各種フィルター情報とに基づき、色温度補正データ記憶部１５７から、装着されたレンズユニット３００と光学特性可変ユニット４００の組み合わせ固有の色温度補正データを検索する。
【０１１３】
前記ステップＳ３０３において、装着されたレンズユニット３００と光学特性可変ユニット４００の組み合わせ固有の色温度補正データが色温度補正データ記憶部１５７に格納されていた場合は、ステップＳ３０８へ進む。すなわち、撮影者は装着されたレンズユニットと光学特性可変ユニット４００の組み合わせ固有の色温度補正データを使用した撮影が可能となり、図５で説明した、装着されたレンズユニット３００と光学特性可変ユニット４００の組み合わせ固有の色温度補正データを使用した撮影のシーケンスへ移行する。
【０１１４】
前記ステップＳ３０３において、装着されたレンズユニット３００と光学特性可変ユニット４００の組み合わせ固有の色温度補正データが色温度補正データ記憶部１５７に格納されていなかった場合、ステップＳ３０６へ進む。
【０１１５】
ステップＳ３０６では、レンズユニット３００に装着されている光学特性可変ユニット４００が、色を変化させることを目的としたカラーフィルターであるか否かを識別し、カラーフィルターであった場合は、ステップＳ３０８おいて、撮影者は装着されたレンズユニット固有の色温度補正データを使用した撮影が可能となり、図５の装着されたレンズユニット３００固有の色温度補正データを使用した撮影のシーケンスへ移行する。
【０１１６】
ステップＳ３０６において、レンズユニット３００に装着されている光学特性可変ユニット４００がカラーフィルターでなかった場合は、ステップＳ３０７において、光学特性可変ユニット４００装着警告部１６２は、撮影者に対して、光学特性可変ユニット４００の組み合わせが異なっていることを表示部５４によって警告する。
【０１１７】
このように、使用する色温度補正データの光学特性可変ユニット４００の組み合わせと、カメラ本体に装着された光学特性可変ユニット４００の組み合わせは異なっているが、装着された光学特性可変ユニット４００が色を変化させることを目的とする場合には、撮影者への警告を禁止する。
【０１１８】
一方、前記ステップＳ３０２において、前記の各種レンズ情報及び各種フィルター情報を取得することができなかったときには、ステップＳ３０４へ進み、色温度補正データ使用警告部１５８によって、色温度補正データが検索できなかったことを撮影者に警告し、表示部５４に表示する。
【０１１９】
そして続くステップＳ３０５において、色温度補正データ記録部１５７から、撮影者が色温度補正データ選択スイッチ（７０）を用い、装着されたレンズユニット３００と光学特性可変ユニット４００の組み合わせ固有の色温度補正データを任意に選択した場合に、前記したステップＳ３０８へ進み、図５に示した撮影動作へ移行する。
【０１２０】
なお、上述した図４、図５及び図６のフローチャートに従ったプログラムを例えばメモリ５２に格納し動作することにより、上述の制御方法を実現させることが可能になる。
【０１２１】
本発明は、上述した実施形態の装置に限定されず、複数の機器から構成されるシステムに適用しても、１つの機器から成る装置に適用しても良い。前述した実施形態の機能を実現するソフトウェアのプログラムコードを記憶した記憶媒体をシステム或いは装置に供給し、そのシステム或いは装置のコンピュータ（またはＣＰＵやＭＰＵ）が記憶媒体に格納されたプログラムコードを読み出し実行することによっても、完成されることは言うまでもない。
【０１２２】
この場合、記憶媒体から読み出されたプログラムコード自体が前述した実施形態の機能を実現することになり、そのプログラムコードを記憶した記憶媒体は本発明を構成することになる。プログラムコードを供給するための記憶媒体としては、例えば、フロッピー（登録商標）ディスク、ハードディスク、光ディスク、光磁気ディスク、ＣＤ−ＲＯＭ、ＣＤ−Ｒ、磁気テープ、不揮発性のメモリカード、ＲＯＭを用いることができる。また、コンピュータが読み出したプログラムコードを実行することにより、前述した実施形態の機能が実現されるだけではなく、そのプログラムコードの指示に基づき、コンピュータ上で稼動しているＯＳなどが実際の処理の一部または全部を行い、その処理によって前述した実施形態の機能が実現される場合も含まれることは言うまでもない。
【０１２３】
さらに、記憶媒体から読み出されたプログラムコードが、コンピュータに挿入された機能拡張ボードやコンピュータに接続された機能拡張ユニットに備わるメモリに書き込まれた後、次のプログラムコードの指示に基づき、その拡張機能を拡張ボードや拡張ユニットに備わるＣＰＵなどが処理を行って実際の処理の一部または全部を行い、その処理によって前述した実施形態の機能が実現される場合も含まれることは言うまでもない。
【図面の簡単な説明】
【０１２４】
【図１】本発明の実施の一形態に係る撮像装置である電子カメラを示す概略外観図である。
【図２】図１に示した電子カメラの電気的構成を示すブロック図である。
【図３】図２中のシステム制御部の周辺回路を示すブロック図である。
【図４】図２中のシステム制御部の周辺回路を示すブロック図である。
【図５】実施形態の撮影処理を示すフローチャートである。
【図６】実施形態に係る色温度補正データの選択及び警告の動作を示すフローチャートである。
【符号の説明】
【０１２５】
１４  撮像素子
５０  システム制御回路
２０  画像処理回路
５０  システム制御回路
５４  表示部
６２  レリーズシャッタースイッチＳＷ１
６４  レリーズシャッタースイッチＳＷ２
６６  色温度補正データ登録スイッチ
６８  色温度補正モードスイッチ
７０  色温度補正データ選択スイッチ
７２  ホワイトバランス選択スイッチ
１００  電子カメラ本体
１５１  測色センサー
１５３  外測ホワイトバランス算出回路
１５４  内測ホワイトバランス算出回路
１５５  色温度補正データ算出回路
１５６  ホワイトバランス制御回路
１５７  色温度補正データ記憶部
１６０  光学特性可変ユニット識別部
１６２  光学特性可変ユニット装着警告部
１６４  色温度補正データ算出警告部
３００  レンズユニット
３５０  レンズシステム制御回路
４００  光学特性可変ユニット
４１８  光学特性可変システム制御回路
【図１】
2005175838.tif 000003
【図２】
2005175838.tif 000004
【図３】
2005175838.tif 000005
【図４】
2005175838.tif 000006
【図５】
2005175838.tif 000007
【図６】
2005175838.tif 000008